【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
光源手段と、前記光源手段から出射した光束を偏向走査する偏向手段と、前記偏向手段で偏向走査された光束を被走査面上に結像する結像光学系と、を具備する光走査装置において、
前記結像光学系は、出射面が凸形状より成る単一の結像光学素子より成り、
前記結像光学素子の光軸上における主走査方向のパワーをφｐ、前記結像光学素子の最軸外における主走査方向のパワーをφｍ、前記結像光学素子の光軸上における厚さをｄｐ、前記結像光学素子の軸上でのｋθ係数をｋｐとするとき、
０．５≦φｍ／φｐ≦０．９
０＜ｄｐ／ｋｐ≦０．０９
なる条件を満足することを特徴とする光走査装置。
【請求項２】
前記被走査面上における光軸上での走査速度をＶｐ、前記被走査面上における最軸外での走査速度をＶｍとするとき、
１．１≦Ｖｍ／Ｖｐ≦１．５
なる条件を満足することを特徴とする請求項１に記載の光走査装置。
【請求項３】
前記単一の結像光学素子の３次の歪曲収差係数をＶとするとき、
０．１≦Ｖ≦０．５
なる条件を満足することを特徴とする請求項１に記載の光走査装置。
【請求項４】
前記単一の結像光学素子の材料の屈折率をＮとするとき、
Ｎ≦１．６
なる条件を満足することを特徴とする請求項１乃至３の何れか一項に記載の光走査装置。
【請求項５】
前記被走査面上の有効走査幅内を走査する際の前記偏向手段の最大偏向角をθｍａｘとするとき、
３０°≦θｍａｘ＜９０°
なる条件を満足することを特徴とする請求項１乃至４の何れか一項に記載の光走査装置。
【請求項６】
前記単一の結像光学素子の、光軸上における副走査断面内の結像倍率をβｓとするとき、
｜βｓ｜≦３．０
なる条件を満足することを特徴とする請求項１乃至５の何れか一項に記載の光走査装置。
【請求項７】
前記単一の結像光学素子に入射する光束は、主走査断面内において収束光束であることを特徴とする請求項１乃至６の何れか一項に記載の光走査装置。
【請求項８】
前記単一の結像光学素子の入射面の主走査断面内における形状は、非円弧であることを特徴とする請求項１乃至７の何れか一項に記載の光走査装置。
【請求項９】
前記単一の結像光学素子の入射面と出射面は、凸形状であることを特徴とする請求項１乃至８の何れか一項に記載の光走査装置。
【請求項１０】
前記単一の結像光学素子の入射面と出射面のうち、少なくとも一面の副走査方向のパワーは、主走査方向で軸上から軸外に向かって減少していることを特徴とする請求項１乃至９の何れか一項に記載の光走査装置。
【請求項１１】
前記単一の結像光学素子の入射面と出射面のうち、少なくとも一面の副走査断面内における形状は、非円弧であることを特徴とする請求項１乃至１０の何れか一項に記載の光走査装置。
【請求項１２】
前記光源手段から出射した光束は、副走査断面内において前記偏向手段の偏向面の法線に対して斜め方向から入射していることを特徴とする請求項１乃至１１の何れか一項に記載の光走査装置。
【請求項１３】
前記光源手段は、独立に変調可能な複数の発光部を有することを特徴とする請求項１乃至１２の何れか一項に記載の光走査装置。
【請求項１４】
請求項１乃至１３の何れか一項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項１５】
請求項１乃至１３の何れか一項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００２０
【補正方法】変更
【補正の内容】
【００２０】
請求項２の発明は請求項１の発明において、
前記被走査面上における光軸上での走査速度をＶｐ、前記被走査面上における最軸外での走査速度をＶｍとするとき、
１．１≦Ｖｍ／Ｖｐ≦１．５
なる条件を満足することを特徴としている。
【手続補正３】
【補正対象書類名】明細書
【補正対象項目名】００２１
【補正方法】変更
【補正の内容】
【００２１】
請求項３の発明は請求項１の発明において、
前記単一の結像光学素子の３次の歪曲収差係数をＶとするとき、
０．１≦Ｖ≦０．５
なる条件を満足することを特徴としている。
【手続補正４】
【補正対象書類名】明細書
【補正対象項目名】００２２
【補正方法】変更
【補正の内容】
【００２２】
請求項４の発明は請求項１乃至３の何れか一項の発明において、
前記単一の結像光学素子の材料の屈折率をＮとするとき、
Ｎ≦１．６
なる条件を満足することを特徴としている。
【手続補正５】
【補正対象書類名】明細書
【補正対象項目名】００２３
【補正方法】変更
【補正の内容】
【００２３】
請求項５の発明は請求項１乃至４の何れか一項の発明において、
前記被走査面上の有効走査幅内を走査する際の前記偏向手段の最大偏向角をθｍａｘとするとき、
３０°≦θｍａｘ＜９０°
なる条件を満足することを特徴としている。
【手続補正６】
【補正対象書類名】明細書
【補正対象項目名】００２４
【補正方法】変更
【補正の内容】
【００２４】
請求項６の発明は請求項１乃至５の何れか一項の発明において、
前記単一の結像光学素子の、光軸上における副走査断面内の結像倍率をβｓとするとき、
｜βｓ｜≦３．０
なる条件を満足することを特徴としている。
【手続補正７】
【補正対象書類名】明細書
【補正対象項目名】００２５
【補正方法】変更
【補正の内容】
【００２５】
請求項７の発明は請求項１乃至６の何れか一項の発明において、
前記単一の結像光学素子に入射する光束は、主走査断面内において収束光束であることを特徴としている。
【手続補正８】
【補正対象書類名】明細書
【補正対象項目名】００２６
【補正方法】変更
【補正の内容】
【００２６】
請求項８の発明は請求項１乃至７の何れか一項の発明において、
前記単一の結像光学素子の入射面の主走査断面内における形状は、非円弧であることを特徴としている。
【手続補正９】
【補正対象書類名】明細書
【補正対象項目名】００２７
【補正方法】変更
【補正の内容】
【００２７】
請求項９の発明は請求項１乃至８の何れか一項の発明において、
前記単一の結像光学素子の入射面と出射面は、凸形状であることを特徴としている。
【手続補正１０】
【補正対象書類名】明細書
【補正対象項目名】００２８
【補正方法】変更
【補正の内容】
【００２８】
請求項１０の発明は請求項１乃至９の何れか一項の発明において、
前記単一の結像光学素子の入射面と出射面のうち、少なくとも一面の副走査方向のパワーは、主走査方向で軸上から軸外に向かって減少していることを特徴としている。
【手続補正１１】
【補正対象書類名】明細書
【補正対象項目名】００２９
【補正方法】変更
【補正の内容】
【００２９】
請求項１１の発明は請求項１乃至１０の何れか一項の発明において、
前記単一の結像光学素子の入射面と出射面のうち、少なくとも一面の副走査断面内における形状は、非円弧であることを特徴としている。
【手続補正１２】
【補正対象書類名】明細書
【補正対象項目名】００３０
【補正方法】変更
【補正の内容】
【００３０】
請求項１２の発明は請求項１乃至１１の何れか一項の発明において、
前記光源手段から出射した光束は、副走査断面内において前記偏向手段の偏向面の法線に対して斜め方向から入射していることを特徴としている。
【手続補正１３】
【補正対象書類名】明細書
【補正対象項目名】００３１
【補正方法】変更
【補正の内容】
【００３１】
請求項１３の発明は請求項１乃至１２の何れか一項の発明において、
前記光源手段は、独立に変調可能な複数の発光部を有することを特徴としている。
【手続補正１４】
【補正対象書類名】明細書
【補正対象項目名】００３２
【補正方法】変更
【補正の内容】
【００３２】
請求項１４の発明の画像形成装置は、請求項１乃至１３の何れか一項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写手段と、転写されたトナー像を被転写材に定着させる定着器とを有することを特徴としている。
【手続補正１５】
【補正対象書類名】明細書
【補正対象項目名】００３３
【補正方法】変更
【補正の内容】
【００３３】
請求項１５の発明の画像形成装置は、請求項１乃至１３の何れか一項に記載の光走査装置と、外部機器から入力したコードデータを画像信号に変換して前記光走査装置に入力せしめるプリンタコントローラとを有していることを特徴としている。
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００６２
【補正方法】変更
【補正の内容】
【００６２】
入射面（一面）６ａは主走査断面内（主走査方向）が６次までの関数で表現される非球面形状（非円弧形状）で形成されており、副走査断面内が平面形状（非円弧形状）で形成されている。尚、入射面６ａの副走査断面内の形状は平面に限らず、例えば非球面や楕円面等であってもよい。
【手続補正２１】
【補正対象書類名】明細書
【補正対象項目名】０１４３
【補正方法】変更
【補正の内容】
【０１４３】
即ち、同図において８１は光源手段であり、独立に変調可能な複数の発光部(発光点)を有するマルチビームレーザーより成っている。本実施例におけるマルチビームレーザー８１は独立に光変調された複数(本実施例では４本)の光束を同時に出射している（図中では１本の光束のみ記載）。